(57)【要約】【課題】一軸正逆転型は圃場の地面が硬い場合などに耕耘爪が土に食い込みにくいうえに逆転爪を有するため耕耘爪による牽引力が十分でなく、このため抵抗棒を深く地中に刺して耕耘爪を空転させても浅くしか耕耘できず、既耕地と未耕地との境界が分かりにくくなって残耕を生じやすく、さらに十分な牽引力を生じないことから操向しにくかった。【解決手段】上下に長い伝動ケース４を機体中央に設置し、その下部出力側に正転軸と逆転軸を同軸に形成した耕耘軸５を左右方向に取り付け、この耕耘軸のうち機体中央寄りの逆転軸と機体外側の正転軸には、それぞれ鉈爪形状の耕耘爪を左右対称に固定すると共に、正転軸の最外側両端には先端を平ノミ状の刃先に形成した棒爪６を放射状に取付け、そして機体に搭載したエンジン３を伝動ケース４の上部入力側に接続し、機体の後尾には抵抗棒９を垂下した。【選択図】図１
0003106598.tif 000002
【実用新案登録請求の範囲】
【請求項１】
上下に長い伝動ケースを機体中央に設置し、その下部出力側に正転軸と逆転軸を同軸に形成した耕耘軸を左右方向に取り付け、この耕耘軸のうち機体中央寄りの逆転軸と機体外側の正転軸には、それぞれ鉈爪形状の耕耘爪を左右対称に固定すると共に、正転軸の最外側両端には先端を平ノミ状の刃先に形成した棒爪を放射状に取付け、
そして機体に搭載したエンジンを伝動ケースの上部入力側に接続し、機体の後尾には抵抗棒を垂下して成る歩行型管理作業機。
【請求項２】
前記棒爪の回転半径を前記耕耘爪の回転半径と等しくしてなる請求項１記載の歩行型管理作業機。
【考案の詳細な説明】
【技術分野】
【０００１】
本考案は、車軸に耕耘爪を取付けて耕起作業を行う歩行型管理作業機の改良に関する。
【背景技術】
【０００２】
従来、車軸に耕耘爪を取付けた前進即耕型と呼ばれる小型の歩行型管理作業機は、後部に装着した抵抗棒の先端を地中に刺して機体の前進に抵抗をかけて、耕耘爪の土への食い込みによって生じる牽引力を調整するとともに、耕耘爪を空転させて土を耕耘して適切な耕耘深さを保って作業を行なう。
【０００３】
普及型の車軸は正転軸により構成されているが、正転軸と逆転軸とを同軸に配置したものも知られている。このような一軸正逆転型は土を均一に砕土するなど、普及型より耕耘性能が良い。
【０００４】
反面、一軸正逆転型は圃場の地面が硬い場合などに耕耘爪が土に食い込みにくいうえに逆転爪を有するため耕耘爪による牽引力が十分でない。このため抵抗棒を深く地中に刺して耕耘爪を空転させても浅くしか耕耘できず、既耕地と未耕地との境界が分かりにくくなって残耕を生じやすく、さらに十分な牽引力を生じないことから操向しにくいという不都合があった。
【考案の開示】
【考案が解決しようとする課題】
【０００５】
このように、一軸正逆転型は圃場の地面が硬い場合などに耕耘爪が土に食い込みにくいうえに逆転爪を有するため耕耘爪による牽引力が十分でなく、このため抵抗棒を深く地中に刺して耕耘爪を空転させても浅くしか耕耘できず、既耕地と未耕地との境界が分かりにくくなって残耕を生じやすく、さらに十分な牽引力を生じないことから操向しにくい点こそ、本考案が解決しようとする課題である。
【課題を解決するための手段】
【０００６】
上記課題を解決するために、請求項１記載のごとく、上下に長い伝動ケースを機体中央に設置し、その下部出力側に正転軸と逆転軸を同軸に形成した耕耘軸を左右方向に取り付け、この耕耘軸のうち機体中央寄りの逆転軸と機体外側の正転軸には、それぞれ鉈爪形状の耕耘爪を左右対称に固定すると共に、正転軸の最外側両端には先端を平ノミ状の刃先に形成した棒爪を放射状に取付け、そして機体に搭載したエンジンを伝動ケースの上部入力側に接続し、機体の後尾には抵抗棒を垂下した。
【０００７】
請求項２記載のごとく、前記棒爪の回転半径を前記耕耘爪の回転半径と等しくした。
【考案の効果】
【０００８】
請求項１記載のごとく、耕耘軸の最外側両端に棒爪を装着したことにより、地面の硬い圃場において、この棒爪が地面に確実に食い込んで十分な牽引力を生じるため、抵抗棒の先端を地中に刺して耕耘爪を空転させて一軸正逆転機構により土を均一に砕土するとともに、一定の耕耘深さを保って機体を操向することができるため、圃場を何度も往復する手間が少なく済み、労力を要せずに作業が行える。さらに、耕耘幅の両端の地面を確実に掘起こすことができるため、既耕地と未耕地との境界が明確になって、残耕を生じることなく圃場をくまなく耕耘することができる。
【０００９】
請求項２記載のごとく、棒爪の回転半径を鉈爪形状の耕耘爪の回転半径と等しくしたことにより、耕耘爪と棒爪とがともに地面に接触して、棒爪による地面への食い込み効果と耕耘爪による地面の耕耘効果を最大限に得ることができる。
【考案を実施するための最良の形態】
【００１０】
第１図は本発明に係る管理作業機の全体側面図である。
管理作業機１は、機体フレーム２にエンジン３を搭載し、機体下方に延出する伝動ケース４の左右に突設した耕耘軸５に耕耘爪６を取付けて、ハンドル７によって操向するとともに耕耘作業を行う。エンジン３からの動力はギヤケース８と伝動ケース４を介して耕耘軸５に伝えられる。
【００１１】
機体フレーム２の後部には抵抗棒９を取付ける。耕耘作業時には、この抵抗棒９を圃場の地面に押付け、先端を地中に刺して抵抗をかけて耕耘爪６を空転させて耕耘するとともに、耕耘爪６による牽引力を調整して所望の耕耘深さを保ったまま前進する。圃場から圃場へと移動したり路上を走行するなどの非作業時には、この抵抗棒９に車輪（図示せず）などを取付けて、この車輪によって走行する。
【００１２】
第２図は耕耘作業部の正面図である。
伝動ケース４の下部には、機体の進行方向と逆方向に回転する逆転軸１０を機体中央寄りに配置し、機体の進行方向と同方向に回転する正転軸１１を、逆転軸１０と同軸に機体外側に配置して耕耘軸を形成する。伝動ケース４の左右両側に位置する逆転軸１０には逆転用のなた爪１２を取付け、逆転軸１０の外側に位置する正転軸１１には正転用のなた爪１２を取付ける。さらに、正転軸１１の最外側両端に棒爪ユニット２０を取付ける。
【００１３】
第３図は棒爪ユニット２０の側面図である。
棒爪２１は、一端に平ノミ状の刃先を形成したＬ字型の棒で、刃先を外側に向けて円形の土台２２に放射状に取付ける。土台２２に突条２３を井筒状に形成して、この突条２３に棒爪２１を嵌め込んでボルトで固定し、棒爪ユニット２０を形成する。この棒爪ユニット２０の回転半径は耕耘軸５に取付けた正転用および逆転用のなた爪１２の回転半径と等しくする。
【００１４】
正転軸１１の最外側両端に棒爪１３を装着したことにより、正逆転機構による土の均一な砕土効果を保持したまま、地面の硬い圃場において、この棒爪１３が地面に確実に食い込んで耕耘するため、十分な牽引力を生じるとともに、一定の耕耘深さを保って作業して、機体を操向することができ、圃場を何度も往復する手間が少なくて済む。
【００１５】
さらに、棒爪１３を耕耘軸５の左右両端に配置したことにより、耕耘幅の両端の地面を確実に掘起こすことができるため、既耕地と未耕地との境界が明確になって、残耕を生じることなく圃場をくまなく耕耘することができる。
【００１６】
未耕地との境界を明確にするには、この棒爪のほかに、周縁が機体中央側に向かって湾曲した円盤状のディスク（図示せず）を用いても良いが、ディスクでは耕耘効果は無い。
【図面の簡単な説明】
【００１７】
【図１】本考案に係る管理作業機の側面図。
【図２】耕耘作業部の正面図。
【図３】棒爪ユニットの側面図。
【符号の説明】
【００１８】
１    管理作業機
２    機体フレーム
３    エンジン
４    伝動ケース
５    耕耘軸
６    耕耘爪
７    ハンドル
８    ギヤケース
９    抵抗棒
１０  逆転軸
１１  正転軸
１２  なた爪
２０  棒爪ユニット
２１  棒爪
２２  土台
２３  突条
【図１】
0003106598.tif 000003
【図２】
0003106598.tif 000004
【図３】
0003106598.tif 000005